(57)【要約】【課題】  可動部材がない丈夫な構造で、小型化しても容易に連結／分離することの可能な連結具を提供する。【解決手段】  係合穴１２に連通するＣ字状に開口した係合口１４を有する第１の部材１０と、第１の部材１０の係合口１４の開口寸法未満の薄肉部２５を有してリング状に形成した第２の部材２０とからなり、第１の部材１０を構成するメガネフレーム状部材１１と第２の部材２０を構成する偏平環状部材２１は、それぞれ４箇所のコーナ部に薄肉部１５、２３を備える。薄肉部１５、２３は共に隣り合ったものが穴の開口方向の異なる部材面に位置するように設ける。薄肉部２３は係合口１４の開口寸法を超える肉厚に形成する。【選択図】  図１
2006296637.tif 000002
【特許請求の範囲】
【請求項１】
係合穴およびその係合穴に連通するＣ字状に開口した係合口を有する第１の部材と、第１の部材の係合口の開口寸法未満の薄肉部を有してリング状に形成された第２の部材とからなることを特徴とする連結具。
【請求項２】
第２の部材が係合長穴を有するリング状に形成され、係合長穴を囲繞形成している扁平環状部材の直線状部に薄肉部が設けられたことを特徴とする請求項１記載の連結具。
【請求項３】
第２の部材を構成する偏平環状部材の４コーナ部に、第１の部材の係合口の開口寸法を超える肉厚の薄肉部が形成されたことを特徴とする請求項２記載の連結具。
【請求項４】
第１の部材が第２の部材と同様の外縁に形成されると共に、その長手方向に係合口と連通した第１の係合穴とＣ字状開口を備えない第２の係合穴とが列設され、２連の穴を備えたメガネフレーム状部材の４コーナ部に薄肉部が形成されたことを特徴とする請求項３記載の連結具。
【請求項５】
係合穴の開口方向に設けた部材面の凹みにより、第１の部材を構成している扁平環状部材と第２の部材を構成しているメガネフレーム状部材の各４コーナ部の薄肉部が形成され、且つ、隣設する部材面の凹みが係合穴の開口方向の異なる部材面に設けられて、隣設する薄肉部が互いに異なる部材面に設けられたことを特徴とする請求項４記載の連結具。
【発明の詳細な説明】
【技術分野】
【０００１】
本発明は、連結／分離を容易に行うことができる２部材からなる連結具に関するものである。
【背景技術】
【０００２】
金鎖などのネックレスでは、金鎖などからなるネックレス本体の両端部に連結具を取り付けておき、その連結具同士の連結／分離により、ネックレスを身に付けたり、取り外すようになっている。
【０００３】
例えば、図６に示したように、Ｃ字状に開設した係合口１４を回動可能に設けたピン１９により開閉することが可能な第１の部材１０Ｘと、係合穴２８を備えた第２の部材２０Ｘとからなり、ピン１９の回動により開口した係合口１４から第２の部材２０Ｘの細肉部２９を第１の部材１０Ｘの係合穴１８に挿し込んで、第１の部材１０Ｘと第２の部材２０Ｘとを係合させ、分離可能に連結するように構成した連結具１Ｘが周知である（例えば、特許文献１参照。）
【０００４】
なお、係合口１４にバネ力などにより突出させたピン１９を、第１の部材１０Ｘ内に収納可能に構成し、ピン１９を第１の部材１０Ｘ内に収納した状態で第２の部材２０Ｘの細肉部２９を係合口１４から係合穴１８に嵌め入れたり、引き出して、連結／分離を行うように構成した連結具も周知である。
【特許文献１】特開２００２−２９４０４４号公報
【発明の開示】
【発明が解決しようとする課題】
【０００５】
ネックレス用などの連結具は、デザイン性の観点から小型化が必須要件である。そのため、係合穴に連通した開口部をピンなどの可動部材を動かして開閉する連結具では、複雑な構造を小さく作るので可動部材の操作が困難となるばかりでなく、壊れ易いと云った問題点があった。したがって、可動部材がない丈夫な構造で、容易に連結／分離をすることが可能な連結具を提供する必要があり、それが解決すべき課題となっていた。
【課題を解決するための手段】
【０００６】
本発明は、係合穴およびその係合穴に連通するＣ字状に開口した係合口を有する第１の部材と、第１の部材の係合口の開口寸法未満の薄肉部を有してリング状に形成された第２の部材とからなることを主要な特徴とする連結具である。
【発明の効果】
【０００７】
本発明の連結具においては、第１の部材のＣ字状に開口した係合口を介して、第２の部材の薄肉部を第１の部材の係合穴に出し入れすることにより、第１の部材と第２の部材との連結／分離とを行うことが可能であり、可動部を備えない丈夫な連結具が実現できた。
【発明を実施するための最良の形態】
【０００８】
係合穴およびその係合穴に連通するＣ字状に開口した係合口を有する第１の部材と、第１の部材の係合口の開口寸法未満の薄肉部を有してリング状に形成された第２の部材とからなり、第２の部材が係合長穴を有するリング状に形成され、係合長穴を囲繞形成している扁平環状部材の直線状部に前記薄肉部が設けられると共に、４コーナ部に第１の部材の係合口の開口寸法を超える肉厚の薄肉部が形成され、第１の部材は第２の部材と同様の外縁に形成されてその長手方向に係合口と連通した第１の係合穴とＣ字状開口を備えない第２の係合穴とが列設されると共に、４コーナ部に薄肉部が形成され、係合穴の開口方向に設けた部材面の凹みにより、第１の部材を構成している扁平環状部材と第２の部材を構成しているメガネフレーム状部材の各４コーナ部の薄肉部が形成され、且つ、隣設する部材面の凹みが係合穴の開口方向の異なる部材面に設けられて、隣設する薄肉部が互いに異なる部材面に設けられたことを特徴とする連結具。
【実施例１】
【０００９】
以下、本発明の第１の実施例を図１〜図４に基づいて詳細に説明する。
本発明の第１の実施例の連結具１は、図１に例示したように第１の部材１０と第２の部材２０とからなり、例えば図４に示したようにネックレス２の両端部などにそれぞれが取り付けられて、第１の部材１０と第２の部材２０とを係合させることで、ネックレス２の両端部などを分離可能に連結するものである。
【００１０】
第１の部材１０は、２連の係合穴１２、１３を備えたメガネフレーム状部材１１からなる。メガネフレーム状部材１１は、矩形の一対の対向する各辺に半円を付け足した外形をなし、一方の係合穴１２は半円の円弧中央部に設けられた、Ｃ字状に開口した係合口１４と連通している。そのため、係合穴１２の内外は係合口１４を介して連通している。
【００１１】
また、メガネフレーム状部材１１の４箇所のコーナ部には、薄肉部１５が設けられている。薄肉部１５は、係合穴１２、１３の開口方向のメガネフレーム状部材１１の部材面に凹部１６が半円弧状に凹陥形成されることで形成されている。
【００１２】
なお、隣り合う凹部１６同士は、係合穴１２、１３の開口方向の異なる部材面に設けられて、燐設する薄肉部１５がメガネフレーム状部材１１の互いに異なる部材面に設けられている。
【００１３】
第２の部材２０は、外形が第１の部材１０と同様に形成された偏平環状部材２１からなり、係合長穴２２を備えている。そして、偏平環状部材２１の４コーナ部に薄肉部２３が、一方の平行部中央部分に薄肉部２５が設けられている。
【００１４】
第２の部材２０の薄肉部２３は、第１の部材１０のメガネフレーム状部材１１の薄肉部１５と同様に偏平環状部材２１の４コーナ部に、係合長穴２２の開口方向の互いに異なる部材面に設けられている。すなわち、第２の部材２０の薄肉部２３も第１の部材１０の薄肉部１５と同様に、隣り合う凹部２４が係合長穴２２の開口方向の異なる部材面に設けられて、燐設する薄肉部２３が扁平環状部材２１の互いに異なる部材面に設けられている。
【００１５】
なお、第１の部材１０の薄肉部１５と第２の部材２０の薄肉部２３は、第１の部材１０の係合口１４の開口寸法より肉厚に形成されている。
【００１６】
偏平環状部材２１の平行部分の薄肉部２５は、係合長穴２２の開口方向の両側の部材面それぞれに同じ深さの凹部２６が設けられて、係合長穴２２の開口方向の部材中心部分に第１の部材１０の係合口１４の開口寸法より薄肉の状態で形成されている。
【００１７】
したがって、第２の部材２０の偏平環状部材２１の薄肉部２５は、第１の部材１０のメガネフレーム状部材１１の係合口１４の部分を通ることができる。そのため、例えば図４に示したように係合穴１３にネックレス２の一端などが嵌め入れられている第１の部材１０と、係合長穴２２にネックレス２の他端などが嵌め入れられている第２の部材２０とを、例えば図３に示したように対向させることで、第１の部材１０の係合穴１２に第２の部材２０の偏平環状部材２１を嵌め込むことができるし、係合穴１２に偏平環状部材２１が嵌められている第２の部材２０を外すことも可能であるので、ネックレス２などの連結／分離が容易に行えるようになる。
【００１８】
なお、本発明は上記実施例に限定されるものではないので、特許請求の範囲に記載の趣旨に沿って各種の変形実施が可能である。
【００１９】
例えば、第１の部材１０を構成しているメガネフレーム状部材１１、第２の部材２０を構成している扁平環状部材２１の外周面は、実施例１に示した連結具１おいては平面状に設けられているが、前記部材の外周面は必ずしも平面状である必要はなく、例えば図５（Ａ）に示すような円弧状の山形、図５（Ｂ）に示すような２線分の連接からなる山形、図５（Ｃ）に示すような４線分の連接からなる山形形状などであっても良いし、曲線と直線との連接により外周面が設けられても良い。
【００２０】
また、第１の部材１０、第２の部材２０の何れか一方または両方は、外形が楕円状、菱形状、或いは図６に示した従来技術の連結具１Ｘにおける第２の部材２０Ｘの形状を含む台形状などに設けられても良い。
【図面の簡単な説明】
【００２１】
【図１】本発明の連結具を示す斜視図である。
【図２】本発明の連結具を示す正面図である。
【図３】本発明の連結具を連結／分離操作する状態を示す説明図である。
【図４】本発明の連結具を用いてネックレスの両端部を連結した状態を示す説明図である。
【図５】本発明の連結具を構成する第１の部材または第２の部材の部分断面図である。
【図６】従来技術を示す説明図である。
【符号の説明】
【００２２】
１  連結部材
２  ネックレス
１０  第１の部材
１１  メガネフレーム状部材
１２、１３  係合穴
１４  係合口
１５  薄肉部
１６  凹部
１８  係合穴
１９  ピン
２０  第２の部材
２１  偏平環状部材
２２  係合長穴
２３  薄肉部
２４  凹部
２５  薄肉部
２６  凹部
２８  係合穴
２９  細肉部
【図１】
2006296637.tif 000003
【図２】
2006296637.tif 000004
【図３】
2006296637.tif 000005
【図４】
2006296637.tif 000006
【図５】
2006296637.tif 000007
【図６】
2006296637.tif 000008